(57)【要約】      （修正有）【課題】直射日光による日焼けなどから着用者の首部を有効に保護することができると共に首部周りに熱が篭ったり蒸れたりするのを防止することができる釣用上着を提供する。【解決手段】衿部８の一部に通気性を有する通気部９が形成されていることを特徴とする。前記衿部は、着用者の首部周りを覆う内周部８１と、該内周部よりも首部周り外周にて前記内周部を覆うことが出来る外周部８２とを備え、前記通気部は、前記内周部に設けられている。前記通気部は、メッシュ構造をを有するメッシュ部であり、該メッシュ部と前記衿部のメッシュ部以外の部分とは、一枚の生地にて構成されている。【選択図】図２
2009167547.tif 000002
【特許請求の範囲】
【請求項１】
衿部の一部に通気性を有する通気部が形成されていることを特徴とする釣用上着。
【請求項２】
前記衿部は、着用者の首部周りを覆う内周部と、該内周部よりも首部周り外周側にて前記内周部を覆うことができる外周部とを備え、前記通気部は、前記内周部に設けられていることを特徴とする請求項１に記載の釣用上着。
【請求項３】
前記通気部は、メッシュ構造を有するメッシュ部であり、該メッシュ部と前記衿部のメッシュ部以外の部分とは、一枚の生地にて構成されていることを特徴とする請求項１又は２に記載の釣用上着。
【請求項４】
前記通気部は、着用者の首部の背面側の領域にのみ対応するように形成されていることを特徴とする請求項１乃至３の何れかに記載の釣用上着。
【発明の詳細な説明】
【技術分野】
【０００１】
本発明は、釣用上着に関し、より詳しくは、釣りをする際に直接或いは肌着を介して着用するシャツに関する。
【背景技術】
【０００２】
従来、この種の上着には、着用者の首部周りに形成される衿部を備えたものが知られている。この衿部は、例えば直射日光による日焼けなどから前記首部を保護するために立てた状態とされることがある。
【０００３】
しかしながら、衿部を立てた状態とすると、前記首部周りに熱が篭ったり蒸れたりして不快に感じる場合がある。
【０００４】
そこで、衿部全体を通気性を有する通気部にて構成することで、首部周りの通気を良好にして当該首部周りに熱が篭ったり蒸れたりするのを防止することができる釣用上着がすでに提案されている。
【発明の開示】
【発明が解決しようとする課題】
【０００５】
ところが、衿部全体を前記通気部にて構成すると、当該衿部を立ててもすぐに傾いたり倒れたりしてしまい、着用者の首部を直射日光による日焼けなどから有効に保護することができないことがある。
【０００６】
そこで、本発明は、上記実情に鑑みてなされ、直射日光による日焼けなどから着用者の首部を有効に保護することができると共に首部周りに熱が篭ったり蒸れたりするのを防止することができる釣用上着を提供することを課題とする。
【課題を解決するための手段】
【０００７】
本発明は、上記課題を解決すべくなされたものであり、本発明に係る釣用上着は、衿部の一部に通気性を有する通気部が形成されていることを特徴とする。
【０００８】
該構成の釣用上着にあっては、衿部の一部に通気性を有する通気部が形成されているので、該通気部を介して上着内部と外部とで通気することができる。また、通気部が形成されているのは衿部の全部ではなく一部であるので、衿部をしっかりと立てることができる。
【０００９】
特に、前記衿部は、着用者の首部周りを覆う内周部と、該内周部よりも首部周り外周側にて前記内周部を覆うことができる外周部とを備え、前記通気部は、前記内周部に設けられていることが好ましい。
【００１０】
このようにすると、外周部にて内周部に設けられている通気部を首部周り外周側から覆うことができるので、外部から通気部が見えないようにしてデザイン性を向上させることができるという利点がある。
【００１１】
また、前記通気部は、メッシュ構造を有するメッシュ部であり、該メッシュ部と前記衿部のメッシュ部以外の部分とは、一枚の生地にて構成されていることが好ましく、メッシュ部をその他の部分とは別体の生地にて形成してこれらを縫い合わせた場合に比して、衿部の柔軟性を向上させることができて着心地がよくなるという利点がある。
【００１２】
更に、前記通気部は、着用者の首部の背面側の領域にのみ対応するように形成されていることが好ましく、着用状態を前面側から見た際に、着用者の首部にて通気部を隠して見えなくすることができ、デザイン性を向上させることができる。また、比較的熱が篭ったり蒸れたりし易い首部の背面側を有効に通気することができるという利点がある。
【発明の効果】
【００１３】
このように、本発明に係る釣用上着にあっては、衿部の一部に通気性を有する通気部が形成されているので、衿部をしっかりと立てることができると共に前記通気部を介して上着内部と外部とで通気することができる結果、直射日光による日焼けなどから着用者の首部を有効に保護することができると共に首部周りに熱が篭ったり蒸れたりするのを防止することができるという効果を奏する。
【発明を実施するための最良の形態】
【００１４】
以下、本発明に係る釣用上着の一実施形態について図面を参酌しつつ説明する。
図１に、本実施形態における釣用上着１が示されている。該釣用上着１は、釣をする際に、着用者の肌に直接或いは肌着を介して着用するシャツ（例えば、ポロシャツ等）である。
【００１５】
釣用上着１は、前面部２と、該前面部２に対向する後面部３と、前後両面部２，３のそれぞれの左右端部同士を繋ぐ左右両側部４，５と、前後両面部２，３のそれぞれの左右端部及び左右両側部４，５の上端部に連設される左右両袖部６，７と、前後両面部２，３の上端部に連設される衿部８とを備える。
【００１６】
前面部２は、着用者（人体）の胸部から腹部に及ぶ領域に対応するように構成されており、一枚の生地で構成されている。本実施形態では、前面部２を構成する生地は、糸を編んでメッシュ構造にした編布である。この編布は、軽量であるだけでなく、メッシュ構造の貫通孔により通気性を有し、更に、この貫通孔の変形により伸縮性を有する。尚、編布のメッシュ構造の貫通孔は、特に限定されるものではないが、例えば直径０．１ｍｍの孔である。
【００１７】
前面部２の左右方向略中央の位置には、前面部２の上端（着用者の首部の前面側）から着用者の胸部にかけて伸びる開閉部２１が設けられている。尚、開閉部２１には釦が設けられており、これにより前面部２の上部が開閉自在に構成され、釣用上着１を着用或いは脱衣し易くなっている。更に、前面部２には、着用者の左胸に対応する位置にポケットＰが設けられており、その開口部はスライドファスナーＳによって開閉自在に構成されている。尚、本実施形態では、ポケットＰは一つのみ設けられているが、例えば、着用者の左右両胸に対応するように複数設けてもよい。
【００１８】
後面部３は、着用者の背中のほぼ全域を覆うように構成されており、前面部２とほぼ同じ形状であるが、丈方向の長さが前面部２よりも若干長くなっている。後面部３は、前面部２と同じ一枚の編布で構成されており、軽量であり、しかも通気性と伸縮性とを備えている。後面部３は、前面部２に対向して前後に重なるように配置されている。
【００１９】
左右両側部４，５は、前後両面部２，３のそれぞれの左右端部に対応する、即ち、着用者の左右両脇腹部それぞれに対応するように形成されている。左右両側部４，５は、メッシュ構造を有するメッシュ生地（例えば前後両面部２，３よりも編目が粗い編布）で構成されており、軽量であり、しかも通気性と伸縮性とを備えている。尚、かかるメッシュ生地の貫通孔は、特に限定されるものではないが、例えば直径１．０ｍｍの孔であるのが好ましい。
【００２０】
これらの左右両側部４，５のそれぞれの前後端部は、前後両面部２，３のそれぞれの左右端部に縫着されている。つまり、前後両面部２，３と左右両側部４，５とは、それぞれ横方向端部にて縫着されており、着用者の胴部略全周を覆うように前後両身頃部Ｃ１，Ｃ２を形成している。そして、この前後両身頃部Ｃ１，Ｃ２は、着用者の左右両肩部から脇部にかけて開口しており、所謂袖ぐりを形成している。尚、前面部２と左右両側部４，５の前面側略半分とで構成されるのが前身頃部Ｃ１であり、後面部３と左右両側部４，５の背面側略半分とで構成されるのが後身頃部Ｃ２である。
【００２１】
左右両袖部６，７は、前後両身頃部Ｃ１，Ｃ２の前記開口を形成する開口縁部にそれぞれ縫着されている。本実施形態では、左右両袖部６，７は、日差しや照り返し、虫刺されなどから着用者を保護するために長袖となっているが、半袖や七部袖などとしてもよい。左右両袖部６，７は、着用者の肩部から手首部にかけて伸びる上袖部６１，７１と、着用者の脇部から手首部にかけて伸びる下袖部６２，７２と、着用者の手首部を覆う環状の袖先端部６３，７３とを備える。
【００２２】
左右両袖部６，７は、上袖部６１，７１の前後両端部と下袖部６２，７２の前後両端部とがそれぞれ縫着され、上袖部６１，７１と下袖部６２，７２とのそれぞれの先端部に袖先端部６３，７３が縫着されてなる。これにより、左右両袖部６，７は、袖先端部６３，７３が袖口を形成して着用者の肩部から手首部に亘る腕全体を覆うよう長袖に構成されている。
【００２３】
本実施形態では、左右両袖部６，７の上袖部６１，７１それぞれは、前記前面部２を構成する編布と同じ編布で構成されている。また、袖先端部６３，７３は、前面部２を構成する編布とは異なる編布（例えば、前面部２よりも大きな伸縮性を有する編布）で構成されている。一方、下袖部６２，７２は、前記左右両側部４，５と同じ編布で構成されている。即ち、左右袖部６，７は、上袖部６１，７１に、メッシュ生地で構成される下袖部６２，７２が縫着されて形成されている。尚、下袖部６２，７２は、例えば、左右両側部４，５の貫通孔よりも大きな貫通孔を有するメッシュ生地などの左右両側部４，５とは異なるメッシュ生地で構成することもできる。
【００２４】
このような、左右両袖部６，７は、前後両身頃部Ｃ１，Ｃ２の左右それぞれの袖ぐりに縫着されている。具体的には、各上袖部６１，７１の基端部が前後両面部２，３にそれぞれ縫着され、各下袖部６２，７２の基端部が左右両側部４，５にそれぞれ縫着されている。
【００２５】
衿部８は、図２（Ａ），（Ｂ）および図３に示すように、着用者の首部周りを覆うように構成されており、本実施形態では、一枚の生地である編布が、その幅方向略中央部を起点に着用者の首部周りの外周側へ折り返し可能に構成されてなる。この衿部８は、その幅方向一端部が前身頃部Ｃ１と後身頃部Ｃ２との各々の上端部に接続されおり、着用者の首部周り略全周に亘って形成されている。本実施形態では、衿部８は、その幅方向一端部が、前面部２及び後面部３の各上端部と、該各々の上端部全域に亘って延設される帯状の補強部１０との間に挟みこまれた状態で、これらと縫い合わされることによって前記各上端部に縫着されている。尚、折り返した衿部８の首部周り内周側が内周部８１となり、外周側が外周部８２となる。
【００２６】
即ち、衿部８は、着用者の首部の前面側の左右一方側から背面側を通って前面側の左右他方側にまで至るように環状に形成されており、幅方向一端部８１１が前身頃部Ｃ１と後身頃部Ｃ２とに接続される内周部８１と、幅方向一端部８２１が前記内周部８１の幅方向他端部８１２に一体的に連続し、他端部８２２が自由端となっている外周部８２とを備え、該外周部８２は、その幅方向一端部８２１を起点に着用者の首部の外周側に折り返し可能にとなっており、折り返した状態で前記内周部８１の外周側を覆うように構成されている。
【００２７】
かかる衿部８には、その一部に通気性を有する通気部としてのメッシュ部９が形成されている。具体的には、メッシュ部９は、衿部８となる前記編布の一部の編目を、他の部分の編目と異ならせることによって形成されている。即ち、メッシュ部９と衿部８のメッシュ部９以外の部分（換言すると、衿部８の他の部分）とは、一枚の生地で形成されている。尚、メッシュ部９の貫通孔は、特に限定されないが、例えば、直径１．２０ｍｍの孔とすることができる。
【００２８】
かかるメッシュ部９は、衿部８の周方向略中央部に形成されており、また、衿部８の幅方向略中央部よりも幅方向一端部側に形成されている。従って、メッシュ部９は、着用者の首部の背面側にのみ対応するように内周部８１の周方向略中央部に形成されている。尚、メッシュ部９の周方向両端部９１，９２は、衿部８の幅方向一端部側ほど周方向に広がるように形成されている。
【００２９】
以上のような構成の釣用上着１にあっては、衿部８の一部に通気性を有する通気部としてのメッシュ部９が形成されているので、メッシュ部９を介して上着内部と外部とで通気することができる。また、メッシュ部９が形成されているのは衿部８の全部ではなく一部であるので、衿部８をしっかりと立てることができる。従って、直射日光による日焼けなどから着用者の首部を有効に保護することができると共に首部周りの通気を良くして熱が篭ったり蒸れたりするのを有効に防止することができる。
【００３０】
また、衿部８が、前記外周部８２を外周側に折り返し可能なように前記内周部８１に連設して構成され、メッシュ部９が内周部８１に設けられているので、図３にて二点鎖線で示すように、外周部８２を折り返さずに衿部８を立てた状態（内周部８１と外周部８２とが幅方向に並んだ状態）とすると、メッシュ部９が外部に露出して通気を良好にすることができる。一方、図３にて実線で示すように、外周部８２を折り返した状態とすると、メッシュ部９が外周部８２にて覆われて外部から見えなくなりデザイン性が向上する。
【００３１】
更に、メッシュ部９と衿部８のメッシュ部９以外の部分とは、一枚の生地で形成されているので、メッシュ部９を他の部分と別体に形成してこれらを縫い合わせた場合に比して衿部８の柔軟性を向上させることができて着心地がよくなる。
【００３２】
また更に、メッシュ部９は、着用者の首部の背面側の領域にのみ対応するように形成されているので、着用状態を前面側から見た際に、着用者の首部にてメッシュ部９を隠して見えなくすることができ、デザイン性が向上する。また、比較的熱が篭ったり蒸れたりし易い首部の背面側を有効に通気することができる。
【００３３】
また、左右両側部４，５と左右袖部６，７の下袖部６２，７２とがメッシュ生地で構成されている。よって、比較的熱が篭ったり蒸れたりし易い首部の背面側と脇部とを有効に通気することができ、爽快な着心地を得ることができる。
【００３４】
尚、本実施形態では、衿部８が、一枚の生地にて形成される場合について説明したが、これに限らず、外周部８２と内周部８１とを別々の生地にて形成し、これらを互いに接続して構成することもできる。
【００３５】
また、本実施形態では、メッシュ部９が内周部８１に形成されている場合について説明したが、これに限らず、例えば外周部８２に形成してもよく、或いは、内周部８１と外周部８２とに跨るように形成してもよい。
【００３６】
更に、本実施形態では、メッシュ部９が着用者の首部の背面側にのみ対応するように形成されている場合について説明したが、これに限らず、首部の側面側にまで対応するように形成してもいいし、側面側にのみ対応するように形成してもよい。また、メッシュ部９を複数箇所設けることもできる。
【００３７】
更に、本実施形態では、メッシュ部９と衿部８のメッシュ部９以外の部分とが一枚の生地で形成されている場合について説明したが、これに限らず、メッシュ部９と衿部８のメッシュ部９以外の部分とを別々の生地にて形成し、これらを互いに接続した場合であってもよい。
【００３８】
また更に、本実施形態では、前面部２と後面部３とがそれぞれ編布で構成される場合について説明したが、これに限らず、例えば織布で構成されてもよい。
【００３９】
更に、本実施形態では、前面部２と後面部３とが同じ編布で構成されている場合について説明したが、これに限らず、例えばそれぞれ異なる編布で構成することもできる。
【図面の簡単な説明】
【００４０】
【図１】本発明の一実施形態に係る釣用上着を示す正面図。
【図２】（Ａ）は同釣用上着の衿部を示す拡大正面図であり、（Ｂ）は（Ａ）の背面図。
【図３】図２（Ａ）のＰ−Ｐ線断面図。
【符号の説明】
【００４１】
１…釣用上着、２…前面部、３…後面部、４…左側部、５…右側部、６…左袖部、７…右袖部、８…衿部、９…メッシュ部、１０…補強部、２１…開閉部、６１，７１…上袖部、６２，７２…下袖部、６３，７３…袖先端部、８１…内周部、８２…外周部、Ｃ１…前身頃部、Ｃ２…後身頃部、Ｐ…ポケット、Ｓ…スライドファスナー
【図１】
2009167547.tif 000003
【図２】
2009167547.tif 000004
【図３】
2009167547.tif 000005